(57)【要約】      （修正有）【課題】底面部と底面部の４辺から連設された側面部とを有し、一方の相対する一対の第１側面部を起立させると他方の相対する一対の第２側面部が起立し、側面部から上方に突出する突片で積み重ねられた箱体の穴部と嵌合するための突片が設けられ、該突片の強度を十分得ることができるとともに、該突片の穴部への嵌合に支障がない箱体を提供する。【解決手段】縁板部Ｂ２４、Ｄ２４の箇所に設けられた間隙部から突出する係合部は、接着板部Ｂ３１、Ｂ４１、Ｄ３１、Ｄ４１から突出した突片部８１ａ、８２ａ、８３ａ、８４ａと接着板部Ｂ３４、Ｂ４４、Ｄ３４、Ｄ４４から突出した突片部８１ｂ、８２ｂ、８３ｂ、８４ｂとから形成され、係合部は２つの突片部間の折れ線を介して二つ折りの状態に形成されている。【選択図】図４
0003197491.tif 000002
【実用新案登録請求の範囲】
【請求項１】
シート状のブランクにより形成された箱体であって、
互いに平行な相対する２辺である第１相対辺と、該第１相対辺と直角をなす互いに平行な他の相対する２辺である第２相対辺とを有する底板部で、第１相対辺に沿って係合用穴部（１５、１６、１７、１８）が設けられた底板部（１０）と、
底板部の第１相対辺から折れ線を介して連設された側壁構成部で、底板部から折れ線を介して連設された外側板部（Ｂ２２、Ｄ２２）と、外側板部の底板部側とは反対側の辺部から折れ線を介して連設された帯状の縁板部（Ｂ２４、Ｄ２４）と、縁板部の外側板部側とは反対側の辺部から折れ線を介して連設された内側板部（Ｂ２６、Ｄ２６）とを有し、外側板部の上端と内側板部の上端の間における縁板部が形成されていない間隙部又は縁板部に形成された穴部から構成された係合部用開口部（Ｂ５０、Ｂ５２、Ｄ５０、Ｄ５２）が形成された側壁構成部（Ｂ２１、Ｄ２１）と、
底板部の第２相対辺から折れ線を介して連設された側面板部（Ａ２２、Ｃ２２）と、
外側板部の両側の側辺から折れ線を介して連設されるとともに、側面板部の両側の側辺から折れ線を介して連設された折込み片部で、底板部の角部から伸びた折込み用折れ線と外側板部の側辺間に設けられた第１接着板部（Ｂ３１、Ｂ４１、Ｄ３１、Ｄ４１）と、該折込み用折れ線と側面板部間に設けられた連結板部（Ｂ３２、Ｂ４２、Ｄ３２、Ｄ４２）とを有し、第１接着板部が外側板部との間の折れ線を介して外側板部に対して折り返されて外側板部の内側の面に接着された折込み片部（Ｂ３０、Ｂ４０、Ｄ３０、Ｄ４０）と、
内側板部の両側の側辺から折れ線を介して連設された第２接着板部で、内側板部との間の折れ線を介して内側板部に対して折り返されて内側板部に接着された第２接着板部（Ｂ３４、Ｂ４４、Ｄ３４、Ｄ４４）と、
第１接着板部から連設されるとともに第２接着板部から連設された係合部で、第１接着板部から突出した第１突片部（８１ａ、８２ａ、８３ａ、８４ａ）と、第２接着板部から突出するとともに第１突片部と折れ線を介して連設された第２突片部（８１ｂ、８２ｂ、８３ｂ、８４ｂ）とを有する係合部（８１、８２、８３、８４）と、
を有し、
箱体の折畳み状態では、側壁構成部が底板部に対して外側に倒れた状態であるとともに、側面板部が底板部に対して内側に倒れた状態であり、
箱体の折畳み状態から外側板部を底板部に対して上方に回動させることにより、折込み片部が折込み用折れ線を介して二つ折りの状態となり、側面板部が底板部に対して立ち上がった状態となり、内側板部を縁板部を介して外側板部の内側に位置させて箱体を組み立てることにより、係合部が第１突片部と第２突片部間の折れ線を介して二つ折りの状態となって係合部用開口部から上方に突出し、
２つの箱体を積み重ねた状態では、下側の箱体の係合部が上側の箱体の係合用穴部に係合することを特徴とする箱体。
【請求項２】
内側板部の縁板部側とは反対側の辺部から突出した突状部（７５、７６、７７、７８）が設けられ、箱体を組み立てた状態では、突状部が係合用穴部に係止することを特徴とする請求項１に記載の箱体。
【請求項３】
側面板部の底板部側とは反対側の辺部から折れ線を介して連設された帯状の第２縁板部（Ａ２４、Ｃ２４）と、第２縁板部の側面板部側とは反対側の辺部から折れ線を介して連設された第２側面板部（Ａ２６、Ｃ２６）とを有し、
箱体を組み立てた状態において、第２側面板部が、側面板部の内側に位置することを特徴とする請求項１又は２に記載の箱体。
【請求項４】
第２側面板部の第２縁板部側とは反対側の辺部から突出した第２突状部（７１、７２、７３、７４）が設けられるとともに、底板部の第２相対辺に沿って第２突状部が係止するための係止用穴部（１１、１２、１３、１４）が設けられていることを特徴とする請求項１又は２又は３に記載の箱体。
【請求項５】
シート状のブランクにより形成された箱体であって、
互いに平行な相対する２辺である第１相対辺と、該第１相対辺と直角をなす互いに平行な他の相対する２辺である第２相対辺とを有する底板部で、第１相対辺に沿って係合用穴部（１５、１６、１７、１８）が設けられた底板部（１０）と、
底板部の第１相対辺から折れ線を介して連設された第１構成部で、底板部から折れ線を介して連設された第１外側板部（Ｂ２２、Ｄ２２）と、第１外側板部の底板部側とは反対側の辺部から折れ線を介して連設された帯状の第１縁板部（Ｂ２４、Ｄ２４）と、第１縁板部の第１外側板部側とは反対側の辺部から折れ線を介して連設された第１内側板部で、第１縁板部側とは反対側の辺部から突出した第１突状部（７５、７６、７７、７８）を有する第１内側板部（Ｂ２６、Ｄ２６）とを有し、第１外側板部の上端と第１内側板部の上端の間における第１縁板部が形成されていない間隙部又は縁板部に形成された穴部から構成された係合部用開口部（Ｂ５０、Ｂ５２、Ｄ５０、Ｄ５２）が形成された第１構成部（Ｂ２１、Ｄ２１）と、
底板部の第２相対辺から折れ線を介して連設された第２構成部で、底板部から折れ線を介して連設された第２外側板部（Ａ２２、Ｃ２２）と、第２外側板部の底板部側とは反対側の辺部から折れ線を介して連設された帯状の第２縁板部（Ａ２４、Ｃ２４）と、第２縁板部の第２外側板部側とは反対側の辺部から折れ線を介して連設された第２内側板部（Ａ２６、Ｃ２６）とを有する第２構成部（Ａ２０、Ｃ２０）と、
第１外側板部の両側の側辺から折れ線を介して連設されるとともに、第２外側板部の両側の側辺から折れ線を介して連設された折込み片部で、底板部の角部から伸びた折込み用折れ線と第１外側板部の側辺間に設けられた第１接着板部（Ｂ３１、Ｂ４１、Ｄ３１、Ｄ４１）と、該折込み用折れ線と第２外側板部間に設けられた連結板部（Ｂ３２、Ｂ４２、Ｄ３２、Ｄ４２）とを有し、第１接着板部が第１外側板部との間の折れ線を介して第１外側板部に対して折り返されて第１外側板部の内側の面に接着された折込み片部（Ｂ３０、Ｂ４０、Ｄ３０、Ｄ４０）と、
第１内側板部の両側の側辺から折れ線を介して連設された第２接着板部で、第１内側板部との間の折れ線を介して第１内側板部に対して折り返されて第１内側板部に接着された第２接着板部（Ｂ３４、Ｂ４４、Ｄ３４、Ｄ４４）と、
第１接着板部から連設されるとともに第２接着板部から連設された係合部で、第１接着板部から突出した第１突片部（８１ａ、８２ａ、８３ａ、８４ａ）と、第２接着板部から突出するとともに第１突片部と折れ線を介して連設された第２突片部（８１ｂ、８２ｂ、８３ｂ、８４ｂ）とを有する係合部（８１、８２、８３、８４）と、
を有し、
箱体の折畳み状態では、第１構成部が底板部に対して外側に倒れた状態であるとともに、第２構成部が底板部に対して内側に倒れた状態であり、
箱体の折畳み状態から第１外側板部を底板部に対して上方に回動させることにより、折込み片部が折込み用折れ線を介して二つ折りの状態となり、第２外側板部が底板部に対して立ち上がった状態となり、第１内側板部を第１縁板部を介して第１外側板部の内側に位置させて第１突状部を係合用穴部に係止させるとともに、第２内側板部を第２縁板部を介して第２外側板部の内側に位置させることにより箱体が組立て状態となり、箱体の組立て状態において、係合部が第１突片部と第２突片部間の折れ線を介して二つ折りの状態となって係合部用開口部から上方に突出し、
２つの箱体を積み重ねた状態では、下側の箱体の係合部が上側の箱体の係合用穴部に係合することを特徴とする箱体。
【請求項６】
第２内側板部の第２縁板部側とは反対側の辺部から突出した第２突状部（７１、７２、７３、７４）が設けられるとともに、底板部の第２相対辺に沿って第２突状部が係止するための係止するための係止用穴部（１１、１２、１３、１４）が設けられていることを特徴とする請求項５に記載の箱体。
【考案の詳細な説明】
【技術分野】
【０００１】
本考案は、箱体に関するものであり、特に、底面部と底面部の４辺から連設された側面部とを有する箱体に関するものである。
【背景技術】
【０００２】
従来より、特許文献１及び特許文献２に示すように、底面部と底面部の相対する一方の辺部から連設された第１側面部と相対する他方の辺部から連設された第２側面部とを有する箱体で、第１側面部の側辺から折り返して接着された折返し片部で第１側面部の側辺に対して約４５度に傾斜した辺部である傾斜辺部を有する折返し片部と、該傾斜辺部から連設されるとともに第２側面部の側辺から連設された連結片部とを有し、第１側面部を底面部に対して起立させることにより自動的に第２側面部が起立する箱体が知られている。
【０００３】
また、特許文献３及び特許文献４に示すように、底面部と底面部の相対する一方の辺部から連設された第１側面部と相対する他方の辺部から連設された第２側面部とを有する箱体で、第１側面部の上端に第１突片が設けられるとともに、第１側面部と第２側面部間の折込み片に第２突片が設けられ、箱体を組み立てた際に、第１突片と第２突片とが重ね合わされるものが存在する。
【０００４】
また、特許文献５に示すように、底面部の辺部から外板部、上板部、内板部が順に連設され、外板部から上板部を経て内板部に伸びる一対の切断線を設け、該一対の切断線の間に上板部より上方に突出する係止部を形成するものが存在する。
【先行技術文献】
【特許文献】
【０００５】
【特許文献１】実公昭３３−１９２９５号公報
【特許文献２】実開昭５３−１００３３４号公報
【特許文献３】特開平９−２０７９４０号公報
【特許文献４】特開２００４−１７５４３３号公報
【特許文献５】特開２００５−１７０４１９号公報
【考案の概要】
【考案が解決しようとする課題】
【０００６】
しかし、特許文献３及び特許文献４の構成においては、箱体を積み重ねた際に、２つの突片が重ね合わさって上側の箱体の穴部に嵌合するので、上側の箱体との嵌合強度が向上するが、２つの突片の位置合わせがずれるおそれがあり、２つの突片がずれて重ね合わさった場合には、穴部に容易に嵌合させることができないおそれがある。例えば、２つの突片が横方向にずれて重ね合わさった場合には、穴部への嵌合が困難となるおそれがある。また、重なり合う突片が接着されていないので、突片としての強度が十分でない。すなわち、重なり合う突片が接着されていないと、１つの突片が他の突片の反対側に折れてしまうおそれがあり、強度が十分でない。
【０００７】
また、特許文献５の構成では、一対の切断線を設けることにより形成された係止部は、全体が露出した構成となっているので、係止部の基端部分から倒れてしまうおそれがあり、係止部の強度が十分でないという問題があり、係止部が倒れてしまうと穴部との係合ができなくなってしまう。
【０００８】
そこで、本考案は、底面部と底面部の４辺から連設された側面部とを有し、一方の相対する一対の第１側面部を起立させると他方の相対する一対の第２側面部が起立する箱体で、側面部から上方に突出する突片で積み重ねられた箱体の穴部と嵌合するための突片が設けられ、該突片の強度を十分得ることができるとともに、該突片の穴部への嵌合に支障がない箱体を提供することを目的とする。
【課題を解決するための手段】
【０００９】
本考案は上記問題点を解決するために創作されたものであって、第１には、シート状のブランクにより形成された箱体であって、互いに平行な相対する２辺である第１相対辺と、該第１相対辺と直角をなす互いに平行な他の相対する２辺である第２相対辺とを有する底板部で、第１相対辺に沿って係合用穴部（１５、１６、１７、１８）が設けられた底板部（１０）と、底板部の第１相対辺から折れ線を介して連設された側壁構成部で、底板部から折れ線を介して連設された外側板部（Ｂ２２、Ｄ２２）と、外側板部の底板部側とは反対側の辺部から折れ線を介して連設された帯状の縁板部（Ｂ２４、Ｄ２４）と、縁板部の外側板部側とは反対側の辺部から折れ線を介して連設された内側板部（Ｂ２６、Ｄ２６）とを有し、外側板部の上端と内側板部の上端の間における縁板部が形成されていない間隙部又は縁板部に形成された穴部から構成された係合部用開口部（Ｂ５０、Ｂ５２、Ｄ５０、Ｄ５２）が形成された側壁構成部（Ｂ２１、Ｄ２１）と、底板部の第２相対辺から折れ線を介して連設された側面板部（Ａ２２、Ｃ２２）と、外側板部の両側の側辺から折れ線を介して連設されるとともに、側面板部の両側の側辺から折れ線を介して連設された折込み片部で、底板部の角部から伸びた折込み用折れ線と外側板部の側辺間に設けられた第１接着板部（Ｂ３１、Ｂ４１、Ｄ３１、Ｄ４１）と、該折込み用折れ線と側面板部間に設けられた連結板部（Ｂ３２、Ｂ４２、Ｄ３２、Ｄ４２）とを有し、第１接着板部が外側板部との間の折れ線を介して外側板部に対して折り返されて外側板部の内側の面に接着された折込み片部（Ｂ３０、Ｂ４０、Ｄ３０、Ｄ４０）と、内側板部の両側の側辺から折れ線を介して連設された第２接着板部で、内側板部との間の折れ線を介して内側板部に対して折り返されて内側板部に接着された第２接着板部（Ｂ３４、Ｂ４４、Ｄ３４、Ｄ４４）と、第１接着板部から連設されるとともに第２接着板部から連設された係合部で、第１接着板部から突出した第１突片部（８１ａ、８２ａ、８３ａ、８４ａ）と、第２接着板部から突出するとともに第１突片部と折れ線を介して連設された第２突片部（８１ｂ、８２ｂ、８３ｂ、８４ｂ）とを有する係合部（８１、８２、８３、８４）と、を有し、箱体の折畳み状態では、側壁構成部が底板部に対して外側に倒れた状態であるとともに、側面板部が底板部に対して内側に倒れた状態であり、箱体の折畳み状態から外側板部を底板部に対して上方に回動させることにより、折込み片部が折込み用折れ線を介して二つ折りの状態となり、側面板部が底板部に対して立ち上がった状態となり、内側板部を縁板部を介して外側板部の内側に位置させて箱体を組み立てることにより、係合部が第１突片部と第２突片部間の折れ線を介して二つ折りの状態となって係合部用開口部から上方に突出し、２つの箱体を積み重ねた状態では、下側の箱体の係合部が上側の箱体の係合用穴部に係合することを特徴とする。
【００１０】
第１の構成においては、係合部が折れ線を介して２つの突片部が連設され、該折れ線を介して二つ折りの構成となっているので、係合部の強度を十分得ることができる。また、係合部は係合部用開口部から突出していて、係合部の基端部分は外側板部と内側板部によりカバーされた状態となっているので、係合部が容易に倒れることがなく、その点でも強度を十分得ることができ、また、係合用穴部との係合に支障が出ることがない。
【００１１】
また、２つの突片部は折れ線を介して連設されているので、２つの突片部が横方向にずれてしまうことがなく、係合部の係合用穴部への係合に支障が出ることがない。
【００１２】
また、第２には、上記第１の構成において、内側板部の縁板部側とは反対側の辺部から突出した突状部（７５、７６、７７、７８）が設けられ、箱体を組み立てた状態では、突状部が係合用穴部に係止することを特徴とする。よって、係合部用開口部を利用して、突状部を係止させることができる。
【００１３】
また、第３には、上記第１又は第２の構成において、側面板部の底板部側とは反対側の辺部から折れ線を介して連設された帯状の第２縁板部（Ａ２４、Ｃ２４）と、第２縁板部の側面板部側とは反対側の辺部から折れ線を介して連設された第２側面板部（Ａ２６、Ｃ２６）とを有し、箱体を組み立てた状態において、第２側面板部が、側面板部の内側に位置することを特徴とする。
【００１４】
また、第４には、上記第１から第３までのいずれかの構成において、第２側面板部の第２縁板部側とは反対側の辺部から突出した第２突状部（７１、７２、７３、７４）が設けられるとともに、底板部の第２相対辺に沿って第２突状部が係止するための係止するための係止用穴部（１１、１２、１３、１４）が設けられていることを特徴とする。
【００１５】
また、第５には、シート状のブランクにより形成された箱体であって、互いに平行な相対する２辺である第１相対辺と、該第１相対辺と直角をなす互いに平行な他の相対する２辺である第２相対辺とを有する底板部で、第１相対辺に沿って係合用穴部（１５、１６、１７、１８）が設けられた底板部（１０）と、底板部の第１相対辺から折れ線を介して連設された第１構成部で、底板部から折れ線を介して連設された第１外側板部（Ｂ２２、Ｄ２２）と、第１外側板部の底板部側とは反対側の辺部から折れ線を介して連設された帯状の第１縁板部（Ｂ２４、Ｄ２４）と、第１縁板部の第１外側板部側とは反対側の辺部から折れ線を介して連設された第１内側板部で、第１縁板部側とは反対側の辺部から突出した第１突状部（７５、７６、７７、７８）を有する第１内側板部（Ｂ２６、Ｄ２６）とを有し、第１外側板部の上端と第１内側板部の上端の間における第１縁板部が形成されていない間隙部又は縁板部に形成された穴部から構成された係合部用開口部（Ｂ５０、Ｂ５２、Ｄ５０、Ｄ５２）が形成された第１構成部（Ｂ２１、Ｄ２１）と、底板部の第２相対辺から折れ線を介して連設された第２構成部で、底板部から折れ線を介して連設された第２外側板部（Ａ２２、Ｃ２２）と、第２外側板部の底板部側とは反対側の辺部から折れ線を介して連設された帯状の第２縁板部（Ａ２４、Ｃ２４）と、第２縁板部の第２外側板部側とは反対側の辺部から折れ線を介して連設された第２内側板部（Ａ２６、Ｃ２６）とを有する第２構成部（Ａ２０、Ｃ２０）と、第１外側板部の両側の側辺から折れ線を介して連設されるとともに、第２外側板部の両側の側辺から折れ線を介して連設された折込み片部で、底板部の角部から伸びた折込み用折れ線と第１外側板部の側辺間に設けられた第１接着板部（Ｂ３１、Ｂ４１、Ｄ３１、Ｄ４１）と、該折込み用折れ線と第２外側板部間に設けられた連結板部（Ｂ３２、Ｂ４２、Ｄ３２、Ｄ４２）とを有し、第１接着板部が第１外側板部との間の折れ線を介して第１外側板部に対して折り返されて第１外側板部の内側の面に接着された折込み片部（Ｂ３０、Ｂ４０、Ｄ３０、Ｄ４０）と、第１内側板部の両側の側辺から折れ線を介して連設された第２接着板部で、第１内側板部との間の折れ線を介して第１内側板部に対して折り返されて第１内側板部に接着された第２接着板部（Ｂ３４、Ｂ４４、Ｄ３４、Ｄ４４）と、第１接着板部から連設されるとともに第２接着板部から連設された係合部で、第１接着板部から突出した第１突片部（８１ａ、８２ａ、８３ａ、８４ａ）と、第２接着板部から突出するとともに第１突片部と折れ線を介して連設された第２突片部（８１ｂ、８２ｂ、８３ｂ、８４ｂ）とを有する係合部（８１、８２、８３、８４）と、を有し、箱体の折畳み状態では、第１構成部が底板部に対して外側に倒れた状態であるとともに、第２構成部が底板部に対して内側に倒れた状態であり、箱体の折畳み状態から第１外側板部を底板部に対して上方に回動させることにより、折込み片部が折込み用折れ線を介して二つ折りの状態となり、第２外側板部が底板部に対して立ち上がった状態となり、第１内側板部を第１縁板部を介して第１外側板部の内側に位置させて第１突状部を係合用穴部に係止させるとともに、第２内側板部を第２縁板部を介して第２外側板部の内側に位置させることにより箱体が組立て状態となり、箱体の組立て状態において、係合部が第１突片部と第２突片部間の折れ線を介して二つ折りの状態となって係合部用開口部から上方に突出し、２つの箱体を積み重ねた状態では、下側の箱体の係合部が上側の箱体の係合用穴部に係合することを特徴とする。
【００１６】
第５の構成においては、係合部が折れ線を介して２つの突片部が連設され、該折れ線を介して二つ折りの構成となっているので、係合部の強度を十分得ることができる。また、係合部は係合部用開口部から突出していて、係合部の基端部分は第１外側板部と第１内側板部によりカバーされた状態となっているので、係合部が容易に倒れることがなく、その点でも強度を十分得ることができ、また、係合用穴部との係合に支障が出ることがない。
【００１７】
また、２つの突片部は折れ線を介して連設されているので、２つの突片部が横方向にずれてしまうことがなく、係合部の係合用穴部への係合に支障が出ることがない。
【００１８】
また、第６には、上記第５の構成において、第２内側板部の第２縁板部側とは反対側の辺部から突出した第２突状部（７１、７２、７３、７４）が設けられるとともに、底板部の第２相対辺に沿って第２突状部が係止するための係止するための係止用穴部（１１、１２、１３、１４）が設けられていることを特徴とする。
【考案の効果】
【００１９】
本考案に基づく箱体によれば、係合部が折れ線を介して２つの突片部が連設され、該折れ線を介して二つ折りの構成となっているので、係合部の強度を十分得ることができる。また、係合部は係合部用開口部から突出していて、係合部の基端部分は外側板部と内側板部によりカバーされた状態となっているので、係合部が容易に倒れることがなく、その点でも強度を十分得ることができ、また、係合用穴部との係合に支障が出ることがない。
【００２０】
また、２つの突片部は折れ線を介して連設されているので、２つの突片部が横方向にずれてしまうことがなく、係合部の係合用穴部への係合に支障が出ることがない。
【図面の簡単な説明】
【００２１】
【図１】箱体を組み立てた状態の上方斜視図である。
【図２】箱体を組み立てた状態の下方斜視図である。
【図３】箱体を組み立てた状態の要部側面図である。
【図４】箱体の折畳み状態を示す平面図である。
【図５】箱体の展開図である。
【図６】図５の要部拡大図である。
【図７】図５の要部拡大図である。
【図８】箱体の組立て工程を示す斜視図である。
【図９】箱体の組立て工程を示す斜視図である。
【図１０】箱体を積み重ねた状態を示す斜視図である。
【図１１】他の例の箱体を組み立てた状態の前方斜視図である。
【図１２】他の例の箱体を組み立てた状態の後方斜視図である。
【図１３】他の例の箱体の折畳み状態を示す平面図である。
【図１４】他の例の箱体の展開図である。
【考案を実施するための形態】
【００２２】
本考案においては、底面部と底面部の４辺から連設された側面部とを有し、一方の相対する一対の第１側面部を起立させると他方の相対する一対の第２側面部が起立する箱体で、側面部から上方に突出する突片で積み重ねられた箱体の穴部と嵌合するための突片が設けられ、該突片の強度を十分得ることができるとともに、該突片の穴部への嵌合に支障がない箱体を提供するという目的を以下のようにして実現した。
【００２３】
本考案に基づく箱体５は、図１〜図７に示すように構成され、底板部１０と、側壁部Ａ２０と、側壁部Ｂ２０と、側壁部Ｃ２０と、側壁部Ｄ２０とを有している。このように、底板部１０と、側壁部Ａ２０〜Ｄ２０によって、箱体５は、上部が開口した箱状に形成され、内部に収納空間を有した構成となっている。なお、図５〜図７において、Ｙ１−Ｙ２方向は、Ｘ１−Ｘ２方向に直角な方向である。
【００２４】
箱体５の詳細について、展開状態を示す図５を使用して説明する。なお、図１に示す箱体５を組み立てる前の状態は、図４に示すように構成され、外側板部Ｂ２２と接着板部Ｂ３１、Ｂ４１が接着され、外側板部Ｄ２２と接着板部Ｄ３１、Ｄ４１が接着されるとともに、内側板部Ｂ２６と接着板部Ｂ３４、Ｂ４４が接着され、内側板部Ｄ２６と接着板部Ｄ３４、Ｄ４４が接着されているが、それらの接着をする前の状態で、箱体５を展開した状態が図５に示すようになる。
【００２５】
箱体５は、図５に示すように、全体に１枚のシート状のブランク（具体的には、段ボール製（例えば、薄型段ボール製）のブランクであり、厚紙製のブランク等の他の紙製のブランクでもよい）により形成されている。つまり、箱体５は、段ボール材（特に、両面段ボール材）等の紙製の箱体である。段ボールにおける断面略波形形状の中芯の段の方向は、図５における円内に示す方向となっていて、底板部１０と外側板部Ａ２２間の折れ線や底板部１０と外側板部Ｃ２２間の折れ線と平行となっている（なお、段ボールにおける中芯の段の方向はこれには限られない）。
【００２６】
まず、底板部１０は、箱体の底面を構成し、略方形状（具体的には、略長方形状）の板状に形成され、方形状（具体的には、長方形状）における周囲に穴部（係止用穴部）１１、１２、１３、１４と、穴部（係合用穴部）１５、１６、１７、１８を形成した形状を呈している。
【００２７】
なお、穴部１１、１２は、底板部１０と外側板部Ａ２２間の辺部に沿って形成され、該辺部に沿った細長の長方形状に形成されている。穴部１１と穴部１２とは間隔を介して形成されている。また、穴部１３、１４は、底板部１０と外側板部Ｃ２２間の辺部に沿って形成され、該辺部に沿った細長の長方形状に形成されている。穴部１３と穴部１４とは間隔を介して形成されている。また、穴部１５、１６は、底板部１０と外側板部Ｂ２２間の辺部に沿って形成され、該辺部に沿った細長の長方形状に形成されている。穴部１５と穴部１６とは間隔を介して形成されている。また、穴部１７、１８は、底板部１０と外側板部Ｄ２２間の辺部に沿って形成され、該辺部に沿った細長の長方形状に形成されている。穴部１７と穴部１８とは間隔を介して形成されている。
【００２８】
また、底板部１０のＹ１側の辺部からは折れ線を介して外側板部（第２外側板部、側面板部）Ａ２２が連設されている。この外側板部Ａ２２は、略長方形状を呈し、横方向の長さは、底板部１０から離れるに従い短くなる台形形状に形成されている。つまり、外側板部Ａ２２の底板部１０側の辺部は、縁板部Ａ２４側の辺部よりも長く形成されている。
【００２９】
また、外側板部Ａ２２の底板部１０とは反対側の辺部からは縁板部（第２縁板部）Ａ２４が折れ線を介して連設され、縁板部Ａ２４は、帯状を呈し、箱体５の組立て状態では、側壁部Ａ２０の上端部分を構成する。縁板部Ａ２４の横方向の長さは、外側板部Ａ２２の横方向の長さよりも若干短く形成されている。
【００３０】
また、縁板部Ａ２４の外側板部Ａ２２側とは反対側の辺部からは内側板部（第２内側板部）Ａ２６が折れ線を介して連設されている。この内側板部Ａ２６は、略方形状（具体的には、略長方形状）を呈し、具体的には、方形状（具体的には、長方形状）に一対の突状部（第２突状部）７１、７２を形成した形状を呈している。突状部７１、７２は、縁板部Ａ２４側と反対側の辺部Ａ２６ａから突出して形成され、細長の長方形状を呈している。この内側板部Ａ２６の横方向の長さは、縁板部Ａ２４の横方向の長さと同一となっている。なお、外側板部Ａ２２の箱体５の組立て状態における上下方向の長さ（底板部１０との間の折れ線と縁板部Ａ２４との間の折れ線間の長さ）と内側板部Ａ２６の上下方向の長さ（縁板部Ａ２４との間の折れ線と辺部Ａ２６ａ間の長さ）とは略同一であるが、外側板部Ａ２２の箱体５の組立て状態における上下方向の長さの方が若干長く形成されている。
【００３１】
なお、外側板部Ａ２２と、縁板部Ａ２４と、内側板部Ａ２６とで側壁部（第２構成部）Ａ２０が構成されるが、側壁部Ａ２０を構成するこれらの部材は、箱体５の展開状態において、線対称（左右線対称、Ｙ１−Ｙ２方向の中心線を介して線対称）に形成されている。
【００３２】
次に、底板部１０のＸ２側の辺部からは折れ線を介して外側板部（第１外側板部）Ｂ２２が連設されている。この外側板部Ｂ２２は、略方形状（具体的には、略長方形状）を呈し、方形状（具体的には、長方形状）に穴部１５、１６の位置に突出した突状部８５、８６を有した形状を呈している。突状部８５、８６は、細長の長方形状を呈している。突状部８５における両側の辺部は、箱体５の展開状態（図５の状態）において、穴部１５の辺部を延長した切込みにより形成され、突状部８６における両側の辺部は、箱体５の展開状態において、穴部１６の辺部を延長した切込みにより形成されている。外側板部Ｂ２２の両側の側辺は、底板部１０との間の折れ線に対して直角をなしている。
【００３３】
また、外側板部Ｂ２２の底板部１０とは反対側の辺部Ｆ２４からは縁板部（第１縁板部）Ｂ２４が折れ線を介して連設され、縁板部Ｂ２４は、帯状を呈し、箱体５の組立て状態では、側壁部Ｂ２０の上端部分を構成する。なお、縁板部Ｂ２４は、一対の細長長方形状の間隙部（係合部用開口部）Ｂ５０、Ｂ５２が設けられているので、３つの領域に分割して形成されている。間隙部Ｂ５０、Ｂ５２は、縁板部Ｂ２４の位置に設けられた間隙で、外側板部Ｂ２２の上端と内側板部Ｂ２６の上端の間における縁板部Ｂ２４が形成されていない領域である。
【００３４】
間隙部Ｂ５０は、穴部１５に対応した位置に設けられ、間隙部Ｂ５０の形成位置は、Ｙ１−Ｙ２方向に穴部１５と一致していて、間隙部Ｂ５０のＹ１側の辺部は、Ｙ１−Ｙ２方向に穴部１５のＹ１側の辺部と一致し、間隙部Ｂ５０のＹ２側の辺部は、Ｙ１−Ｙ２方向に穴部１５のＹ２側の辺部と一致する。同様に、間隙部Ｂ５２は、穴部１６に対応した位置に設けられ、間隙部Ｂ５２の形成位置は、Ｙ１−Ｙ２方向に穴部１６と一致していて、間隙部Ｂ５２のＹ１側の辺部は、Ｙ１−Ｙ２方向に穴部１６のＹ１側の辺部と一致し、間隙部Ｂ５２のＹ２側の辺部は、Ｙ１−Ｙ２方向に穴部１６のＹ２側の辺部と一致している。これにより、箱体５を積み重ねた場合に、間隙部Ｂ５０から突出した係合部８１が上側の箱体５の穴部１５に係合し、間隙部Ｂ５２から突出した係合部８２が上側の箱体５の穴部１６に係合する。
【００３５】
また、縁板部Ｂ２４の外側板部Ｂ２２側とは反対側の辺部Ｆ２６からは内側板部（第１内側板部）Ｂ２６が折れ線を介して連設されている。内側板部Ｂ２６は、方形状（具体的には、長方形状）に突状部７５、７６と、凹部９０を形成した形状を呈している。突状部７５、７６は、縁板部Ｂ２４側と反対側の辺部Ｂ２６ａに形成され、細長の長方形状を呈している。突状部７５は、穴部１５に対応した位置に設けられ（つまり、Ｙ１−Ｙ２方向に穴部１５に対応した位置に設けられ）、突状部７６は、穴部１６に対応した位置に設けられ（つまり、Ｙ１−Ｙ２方向に穴部１６に対応した位置に設けられ）、箱体５を組み立てた際に、突状部７５が穴部１５に係止し、突状部７６が穴部１６に係止する。
【００３６】
また、凹部９０は、縁板部Ｂ２４側と反対側の辺部に形成され、突状部７５と突状部７６の間の位置に形成されている。この凹部９０は、突状部７５、７６が穴部１５、１６に係止している状態から該係止を解除する際に、凹部９０に指を掛けて引っぱるのに使用する。
【００３７】
なお、箱体５の展開状態において、外側板部Ｂ２２のＹ１側の側辺と縁板部Ｂ２４のＹ１側の辺部と内側板部Ｂ２６のＹ１側の側辺とは１つの直線をなし、外側板部Ｂ２２のＹ２側の側辺と縁板部Ｂ２４のＹ２側の辺部と内側板部Ｂ２６のＹ２側の側辺とは１つの直線をなす。
【００３８】
また、外側板部Ｃ２２の箱体５の組立て状態における上下方向の長さ（底板部１０との間の折れ線と縁板部Ｂ２４との間の折れ線間の長さ）と内側板部Ｂ２６の上下方向の長さ（縁板部Ａ２４との間の折れ線と辺部Ｂ２６ａ間の長さ）とは略同一であるが、外側板部Ｂ２２の箱体５の組立て状態における上下方向の長さの方が若干長く形成されている。
【００３９】
なお、外側板部Ｂ２２と縁板部Ｂ２４と内側板部Ｂ２６とで、側壁構成部（第１構成部）Ｂ２１が構成される。
【００４０】
また、外側板部Ａ２２の側辺と外側板部Ｂ２２の側辺の間には、折込み片部Ｂ３０が連設されている。折込み片部Ｂ３０は、接着板部Ｂ３１と、連結板部Ｂ３２とから構成されている。
【００４１】
接着板部（第１接着板部）Ｂ３１は、外側板部Ｂ２２のＹ１側の辺部（側壁部Ａ２０側の辺部）から折れ線を介して連設されている。この接着板部Ｂ３１は略台形形状を呈し、外側板部Ｂ２２との境界をなす直線状の辺部Ｂ３１ａと、該辺部Ｂ３１ａに対して４５度の角度に形成された直線状の辺部Ｂ３１ｂと、辺部ｂ３０ａに対して直角をなす直線状の辺部Ｂ３１ｃと、辺部Ｂ３１ｂと辺部Ｂ３１ｃ間に形成され、辺部Ｂ３１ａと略平行な辺部Ｂ３１ｄとに囲まれた構成となっている。なお、辺部Ｂ３１ａは、外側板部Ｂ２２の側辺（接着板部Ｂ３１が連設された辺部）よりも短く形成され、辺部Ｂ３１ｃは、接着板部Ｂ３１が外側板部Ｂ２２に接着した状態で、外側板部Ｂ２２と縁板部Ｂ２４間の境界（つまり、辺部Ｆ２４）よりも底板部１０側に形成されている。この接着板部Ｂ３１は、図４に示すように、外側板部Ｂ２２に対して折り返されて、外側板部Ｂ２２に接着される。
【００４２】
また、連結板部Ｂ３２は、接着板部Ｂ３１と外側板部Ａ２２間に設けられている。つまり、連結板部Ｂ３２は、接着板部Ｂ３１の辺部Ｂ３１ｂから折れ線（折込み用折れ線）を介して連設されるとともに、外側板部Ａ２２の側辺から折れ線を介して連設され、三角形状を呈している。
【００４３】
また、内側板部Ｂ２６のＹ１側の辺部（側壁部Ａ２０側の辺部）からは接着板部（第２接着板部）Ｂ３４が折れ線を介して連設されている。この接着板部Ｂ３４は、長方形状（辺部Ｂ３４ａと辺部Ｂ３４ｂと辺部Ｂ３４ｃ及びその延長線と辺部Ｂ３４ｄ及びその延長線により囲まれた長方形状）に切欠部Ｂ３４−ｋａと切欠部Ｂ３４−ｋｂを形成した形状を呈している。すなわち、切欠部Ｂ３４−ｋａは、細長長方形状を呈し、接着板部Ｂ３４を内側板部Ｂ２６に接着した状態で、接着板部Ｂ３４の端部が突状部７５の基端と間隔を形成して突状部７５の穴部１５への差込みに支障がないようにしている。また、切欠部Ｂ３４−ｋｂは、略円弧状を呈し、接着板部Ｂ３４を内側板部Ｂ２６に接着した状態で、凹部９０の輪郭に合わせて形成されている。なお、接着板部Ｂ３４における内側板部Ｂ２６との境界をなす辺部Ｂ３４ａは、内側板部Ｂ２６の側辺（接着板部Ｂ３４が連設された辺部）よりも短く形成され、辺部Ｂ３４ｂは、接着板部Ｂ３４が内側板部Ｂ２６に接着した状態で、内側板部Ｂ２６と縁板部Ｂ２４間の境界（つまり、辺部Ｆ２６）よりも内側板部Ｂ２６の先端側（縁板部Ｂ２４とは反対側）に形成されている。この接着板部Ｂ３４は、図４に示すように、内側板部Ｂ２６に対して折り返されて、内側板部Ｂ２６に接着される。
【００４４】
また、接着板部Ｂ３１の箱体５の展開状態における接着板部Ｂ３４側には突片部（第１突片部）８１ａが突出して形成されている。つまり、突片部８１ａは、接着板部Ｂ３１の辺部Ｂ３１ｄから突出して形成されている。接着板部Ｂ３１と突片部８１ａの境界は、図６における一点鎖線に示す位置となる。この突片部８１ａは、略細長長方形状を呈し、辺部Ｂ３１ｃと、辺部Ｂ３１ｃから直角をなす辺部と、該辺部に対して直角をなす辺部（辺部Ｂ３１ｃと同一方向の辺部）と辺部Ｂ３１ｄの延長線をなす辺部とにより囲まれた構成となっている。
【００４５】
また、接着板部Ｂ３４の箱体５の展開状態における接着板部Ｂ３１側には、突片部（第２突片部）８１ｂが突出して形成されている。つまり、突片部８１ｂは、接着板部Ｂ３４の辺部Ｂ３４ｂから突出して形成されている。接着板部Ｂ３４と突片部８１ｂの境界は、図６における一点鎖線に示す位置となる。この突片部８１ｂは、細長長方形状を呈し、辺部Ｂ３４ｂと、辺部Ｂ３４ｂに対して直角をなす一対の辺部と突片部８１ａとの境界をなす辺部とにより囲まれた構成となっている。つまり、突片部８１ａと突片部８１ｂとは折れ線Ｊ８１を介して連設されている。
【００４６】
なお、突片部８１ａの高さ（辺部Ｂ３１ｃから折れ線Ｊ８１までの長さ）と突片部８１ｂの高さ（辺部Ｂ３４ｂから折れ線Ｊ８１までの長さ）は同一に形成されている。また、突片部８１ａ、８１ｂの折れ線Ｊ８１に沿った長さは、間隙部Ｂ５０から突出可能となるように、間隙部Ｂ５０の長さ（縁板部Ｂ２４の方向（辺部Ｆ２４、Ｆ２６の方向）の長さ）よりも短く形成されている。
【００４７】
また、突片部８１ａと突片部８１ｂは折れ線Ｊ８１を介して連設されているので、箱体５を展開した状態では、穴部Ｂ６０が形成され、辺部Ｂ３１ｃと辺部Ｂ３４ｂとは上記のように形成されているので、辺部Ｂ３１ｃと辺部Ｂ３４ｂ間の間隔は縁板部Ｂ２４の幅方向の長さよりも長く形成されている。
【００４８】
箱体５の組立て状態において、間隙部Ｂ５０から上方に突出する係合部８１は、突片部８１ａと突片部８１ｂとにより構成され、係合部８１においては、突片部８１ａと突片部８１ｂとを折れ線Ｊ８１を介して折り返して重なった状態となっている（つまり、係合部８１は、折れ線Ｊ８１を介して二つ折りの状態となっている）。
【００４９】
また、図４に示す状態では、突片部８１ａと突片部８１ｂは間隙部Ｂ５０の位置に配置され、折れ線Ｊ８１は、間隙部Ｂ５０の内側の辺部（辺部Ｆ２４に沿った辺部）と間隙部Ｂ５０の外側の辺部（辺部Ｆ２６に沿った辺部）間の中心位置（辺部Ｆ２４に沿った辺部と辺部Ｆ２６に沿った辺部と等距離の位置）に設けられている。
【００５０】
また、外側板部Ｃ２２の側辺と外側板部Ｂ２２の側辺の間には、折込み片部Ｂ４０が連設されている。折込み片部Ｂ４０は、接着板部Ｂ４１と、連結板部Ｂ４２とから構成されている。
【００５１】
接着板部Ｂ４１は、外側板部Ｂ２２のＹ２側の辺部（側壁部Ｃ２０側の辺部）から折れ線を介して連設され、連結板部Ｂ４２は、接着板部Ｂ４１と外側板部Ｃ２２間に連設され、内側板部Ｂ２６のＹ２側の辺部（側壁部Ｃ２０側の辺部）からは接着板部Ｂ４４が折れ線を介して連設されている。箱体５の展開状態（図５の状態）において、折込み片部Ｂ４０は折込み片部Ｂ３０と線対称（前後線対称）である以外は同一の構成であり、接着板部Ｂ４１は接着板部Ｂ３１と線対称（前後線対称）である以外は同一の構成であり、連結板部Ｂ４２は連結板部Ｂ３２と線対称（前後線対称）である以外には同一の構成であり、接着板部Ｂ４４は接着板部Ｂ３４と線対称（前後線対称）である以外には同一の構成であるので、詳しい説明を省略する。
【００５２】
なお、連結板部Ｂ４２は、接着板部Ｂ４１の辺部Ｂ４１ｂ（外側板部Ｂ２２の側辺に対して４５度をなす直線状の辺部）から折れ線を介して連設されている。
【００５３】
なお、接着板部Ｂ４１は、図４に示すように、外側板部Ｂ２２に対して折り返されて、外側板部Ｂ２２に接着され、接着板部Ｂ４４は、図４に示すように、内側板部Ｂ２６に対して折り返されて、内側板部Ｂ２６に接着される。
【００５４】
また、接着板部Ｂ４１の箱体５の展開状態における接着板部Ｂ４４側には突片部（第１突片部）８２ａが突出して形成され、接着板部Ｂ４４の箱体５の展開状態における接着板部Ｂ４１側には、突片部（第２突片部）８２ｂが突出して形成されている。接着板部Ｂ４１と突片部８２ａの境界と、接着板部Ｂ４４と突片部８２ｂの境界は、図６における一点鎖線に示す位置となる。箱体５の展開状態（図５の状態）において、突片部８２ａは突片部８１ａと線対称（前後線対称）である以外は同一の構成であり、突片部８２ｂは突片部８１ｂと線対称（前後線対称）である以外は同一の構成であるので、詳しい説明を省略する。なお、突片部８２ａと突片部８２ｂとは折れ線Ｊ８２を介して連設されている。また、突片部８２ａと突片部８２ｂは折れ線Ｊ８２を介して連設されているので、箱体５を展開した状態では、穴部Ｂ６２が形成されている。
【００５５】
箱体５の組立て状態において、間隙部Ｂ５２から上方に突出する係合部８２は、突片部８２ａと突片部８２ｂとにより構成され、係合部８２においては、突片部８２ａと突片部８２ｂとを折れ線Ｊ８２を介して折り返して重なった状態となっている（つまり、係合部８２は、折れ線Ｊ８２を介して二つ折りの状態となっている）。
【００５６】
また、図４に示す状態では、突片部８２ａと突片部８２ｂは間隙部Ｂ５２の位置に配置され、折れ線Ｊ８２は、間隙部Ｂ５２の内側の辺部（辺部Ｆ２４に沿った辺部）と間隙部Ｂ５２の外側の辺部（辺部Ｆ２６に沿った辺部）間の中心位置（辺部Ｆ２４に沿った辺部と辺部Ｆ２６に沿った辺部と等距離の位置）に設けられている。
【００５７】
なお、外側板部Ｂ２２と、縁板部Ｂ２４と、内側板部Ｂ２６と、接着板部Ｂ３１、Ｂ４１と、連結板部Ｂ３２、Ｂ４２と、接着板部Ｂ３４、Ｂ４４とで側壁部Ｂ２０が構成されるが、側壁部Ｂ２０を構成するこれらの部材は、箱体５の展開状態において、線対称（前後線対称、Ｘ１−Ｘ２方向の中心線を介して線対称）に形成されている。
【００５８】
なお、図４に示すように、接着板部Ｂ３１、Ｂ４１が外側板部Ｂ２２に接着した状態において、平面視において、接着板部Ｂ３１、Ｂ４１が外側板部Ｂ２２の領域から外側にはみ出ることがなく、また、接着板部Ｂ３４、Ｂ４４が内側板部Ｂ２６に接着した状態において、平面視において、接着板部Ｂ３４、Ｂ４４が内側板部Ｂ２６の領域から外側にはみ出ることがない。
【００５９】
また、底板部１０のＹ２側の辺部からは折れ線を介して外側板部（第２外側板部）Ｃ２２が連設され、外側板部Ｃ２２の底板部１０とは反対側の辺部からは縁板部（第２縁板部）Ｃ２４が折れ線を介して連設され、縁板部Ｃ２４の外側板部Ｃ２２側とは反対側の辺部からは内側板部（第２内側板部）Ｃ２６が折れ線を介して連設されている。箱体５の展開状態において、外側板部Ｃ２２は外側板部Ａ２２と線対称（前後線対称）である以外は同一の構成であり、縁板部Ｃ２４は縁板部Ａ２４と線対称（前後線対称）である以外は同一の構成であり、内側板部Ｃ２６は内側板部Ａ２６と線対称（前後線対称）である以外は同一の構成であるので、詳しい説明を省略する。なお、内側板部Ｃ２６には、一対の突状部７３、７４が形成されている。
【００６０】
なお、外側板部Ｃ２２と、縁板部Ｃ２４と、内側板部Ｃ２６とで側壁部（第２構成部）Ｃ２０が構成されるが、側壁部Ｃ２０を構成するこれらの部材は、箱体５の展開状態において、線対称（左右線対称、Ｙ１−Ｙ２方向の中心線を介して線対称）に形成されている。
【００６１】
また、底板部１０のＸ１側の辺部からは折れ線を介して外側板部（第１外側板部）Ｄ２２が連設され、外側板部Ｄ２２の底板部１０とは反対側の辺部Ｈ２４からは縁板部（第１縁板部）Ｄ２４が折れ線を介して連設され、縁板部Ｄ２４の外側板部Ｄ２２側とは反対側の辺部Ｈ２６からは内側板部（第１内側板部）Ｄ２６が折れ線を介して連設されている。箱体５の展開状態において、外側板部Ｄ２２は外側板部Ｂ２２と線対称（左右線対称、Ｙ１−Ｙ２方向の中心線を介して線対称）である以外は同一の構成であり、縁板部Ｄ２４は縁板部Ｂ２４と線対称（左右線対称）である以外は同一の構成であり、内側板部Ｄ２６は内側板部Ｂ２６と線対称（左右線対称）である以外は同一の構成であるので、詳しい説明を省略する。
【００６２】
なお、外側板部Ｄ２２は、穴部１７、１８の位置に突出した突状部８７、８８を有している。また、３つの領域に分割された各縁板部Ｄ２４間には、間隙部（係合用開口部）Ｄ５０、Ｄ５２が形成され、内側板部Ｄ２６には、突状部７７、７８と、凹部９１が形成されている。
【００６３】
また、外側板部Ａ２２の側辺と外側板部Ｄ２２の側辺の間には、折込み片部Ｄ３０が連設され、折込み片部Ｄ３０は、接着板部（第１接着板部）Ｄ３１と、連結板部Ｄ３２とから構成され、接着板部Ｄ３１は、外側板部Ｄ２２のＹ１側の辺部（側壁部Ａ２０側の辺部）から折れ線を介して連設され、連結板部Ｄ３２は、接着板部Ｄ３１と外側板部Ａ２２間に連設され、内側板部Ｄ２６のＹ１側の辺部（側壁部Ａ２０側の辺部）からは接着板部（第２接着板部）Ｄ３４が折れ線を介して連設され、接着板部Ｄ３１の箱体５の展開状態における接着板部Ｄ３４側には突片部（第１突片部）８３ａが突出して形成され、接着板部Ｄ３４の箱体５の展開状態における接着板部Ｄ３１側には、突片部（第２突片部）８３ｂが突出して形成されている。接着板部Ｄ３１と突片部８３ａの境界と、接着板部Ｄ３４と突片部８３ｂの境界は、図７における一点鎖線に示す位置となる。箱体５の展開状態において、折込み片部Ｄ３０は折込み片部Ｂ３０と線対称（左右線対称）である以外は同一の構成であり、接着板部Ｄ３１は接着板部Ｂ３１と線対称（左右線対称）である以外は同一の構成であり、連結板部Ｄ３２は連結板部Ｂ３２と線対称（左右線対称）である以外は同一の構成であり、接着板部Ｄ３４は接着板部Ｂ３４と線対称（左右線対称）である以外は同一の構成であり、突片部８３ａは突片部８１ａと線対称（左右線対称）である以外は同一の構成であり、突片部８３ｂは突片部８１ｂと線対称（左右線対称）である以外は同一の構成であるので、詳しい説明を省略する。
【００６４】
なお、連結板部Ｄ３２は、接着板部Ｄ３１の辺部Ｄ３１ｂ（外側板部Ｄ２２の側辺に対して４５度をなす直線状の辺部）から折れ線を介して連設されている。
【００６５】
また、突片部８３ａと突片部８３ｂは折れ線Ｊ８３を介して連設されているので、箱体５を展開した状態では、穴部Ｄ６０が形成されている。
【００６６】
また、接着板部Ｄ３１は、図４に示すように、外側板部Ｄ２２に対して折り返されて、外側板部Ｄ２２に接着され、接着板部Ｄ３４は、図４に示すように、内側板部Ｄ２６に対して折り返されて、内側板部Ｂ２６に接着される。
【００６７】
また、外側板部Ｃ２２の側辺と外側板部Ｄ２２の側辺の間には、折込み片部Ｄ４０が連設され、折込み片部Ｄ４０は、接着板部Ｄ４１と、連結板部Ｄ４２とから構成され、接着板部（第１接着板部）Ｄ４１は、外側板部Ｄ２２のＹ２側の辺部（側壁部Ｃ２０側の辺部）から折れ線を介して連設され、連結板部Ｄ４２は、接着板部Ｄ４１と外側板部Ｃ２２間に連設され、内側板部Ｄ２６のＹ２側の辺部（側壁部Ｃ２０側の辺部）からは接着板部（第２接着板部）Ｄ４４が折れ線を介して連設され、接着板部Ｄ４１の箱体５の展開状態における接着板部Ｄ４４側には突片部（第１突片部）８４ａが突出して形成され、接着板部Ｄ４４の箱体５の展開状態における接着板部Ｄ４１側には、突片部（第２突片部）８４ｂが突出して形成されている。接着板部Ｄ４１と突片部８４ａの境界と、接着板部Ｄ４４と突片部８４ｂの境界は、図７における一点鎖線に示す位置となる。箱体５の展開状態において、接着板部Ｄ４１は接着板部Ｂ４１と線対称（左右線対称）である以外は同一の構成であり、連結板部Ｄ４２は連結板部Ｂ４２と線対称（左右線対称）である以外は同一の構成であり、接着板部Ｄ４４は接着板部Ｂ４４と線対称（左右線対称）である以外は同一の構成であり、突片部８４ａは突片部８２ａと線対称（左右線対称）である以外は同一の構成であり、突片部８４ｂは突片部８２ｂと線対称（左右線対称）である以外は同一の構成であるので、詳しい説明を省略する。
【００６８】
なお、連結板部Ｄ４２は、接着板部Ｄ４１の辺部Ｄ４１ｂ（外側板部Ｄ２２の側辺に対して４５度をなす直線状の辺部）から折れ線を介して連設されている。
【００６９】
また、突片部８４ａと突片部８４ｂは折れ線Ｊ８４を介して連設されているので、箱体５を展開した状態では、穴部Ｄ６２が形成されている。
【００７０】
また、接着板部Ｄ４１は、図４に示すように、外側板部Ｄ２２に対して折り返されて、外側板部Ｄ２２に接着され、接着板部Ｄ４４は、図４に示すように、内側板部Ｄ２６に対して折り返されて、内側板部Ｂ２６に接着される。
【００７１】
また、図４に示す状態では、突片部８３ａと突片部８３ｂは間隙部Ｂ５０の位置に配置され、折れ線Ｊ８３は、間隙部Ｄ５０の内側の辺部（辺部Ｈ２４に沿った辺部）と間隙部Ｄ５０の外側の辺部（辺部Ｈ２６に沿った辺部）間の中心位置（辺部Ｈ２４に沿った辺部と辺部Ｈ２６に沿った辺部と等距離の位置）に設けられている。
【００７２】
また、図４に示す状態では、突片部８４ａと突片部８４ｂは間隙部Ｄ５２の位置に配置され、折れ線Ｊ８４は、間隙部Ｄ５２の内側の辺部（辺部Ｈ２４に沿った辺部）と間隙部Ｄ５２の外側の辺部（辺部Ｈ２６に沿った辺部）間の中心位置（辺部Ｈ２４に沿った辺部と辺部Ｈ２６に沿った辺部と等距離の位置）に設けられている。
【００７３】
箱体５の組立て状態において、間隙部Ｄ５０から上方に突出する係合部８３は、突片部８３ａと突片部８３ｂとにより構成され、係合部８３においては、突片部８３ａと突片部８３ｂとを折れ線Ｊ８３を介して折り返して重なった状態となっている（つまり、係合部８３は、折れ線Ｊ８３を介して二つ折りの状態となっている）。また、箱体５の組立て状態において、間隙部Ｄ５２から上方に突出する係合部８４は、突片部８４ａと突片部８４ｂとにより構成され、係合部８４においては、突片部８４ａと突片部８４ｂとを折れ線Ｊ８４を介して折り返して重なった状態となっている（つまり、係合部８４は、折れ線Ｊ８４を介して二つ折りの状態となっている）。
【００７４】
なお、外側板部Ｄ２２と縁板部Ｄ２４と内側板部Ｄ２６とで、側壁構成部（第１構成部）Ｄ２１が構成され、外側板部Ｄ２２と、縁板部Ｄ２４と、内側板部Ｄ２６と、接着板部Ｄ３１、Ｄ４１と、連結板部Ｄ３２、Ｄ４２と、接着板部Ｄ３４、Ｄ４４とで側壁部Ｄ２０が構成されるが、側壁部Ｄ２０を構成するこれらの部材は、箱体５の展開状態において、線対称（前後線対称、Ｘ１−Ｘ２方向の中心線を介して線対称）に形成されている。
【００７５】
なお、図４に示すように、接着板部Ｄ３１、Ｄ４１が外側板部Ｄ２２に接着した状態において、平面視において、接着板部Ｄ３１、Ｄ４１が外側板部Ｄ２２の領域から外側にはみ出ることがなく、また、接着板部Ｄ３４、Ｄ４４が内側板部Ｄ２６に接着した状態において、平面視において、接着板部Ｄ３４、Ｄ４４が内側板部Ｄ２６の領域から外側にはみ出ることがない。
【００７６】
上記構成の箱体５の使用方法について説明する。箱体５を組み立てる前の状態では、図４、図８のように扁平状の状態となっているので、図４、図８の状態で保管や運搬を行なう。
【００７７】
図４、図８の状態から箱体５を組み立てるには、外側板部Ｂ２２と外側板部Ｄ２２を底板部１０に対して起立させる。
【００７８】
すると、接着板部Ｂ３１が連結板部Ｂ３２に対して折曲するとともに、連結板部Ｂ３２が外側板部Ａ２２に対して折曲し、接着板部Ｄ３１が連結板部Ｄ３２に対して折曲するとともに、連結板部Ｄ３２が外側板部Ａ２２に対して折曲するので、外側板部Ａ２２が起立し、同様に、接着板部Ｂ４１が連結板部Ｂ４２に対して折曲するとともに、連結板部Ｂ４２が外側板部Ｃ２２に対して折曲し、接着板部Ｄ４１が連結板部Ｄ４２に対して折曲するとともに、連結板部Ｄ４２が外側板部Ｃ２２に対して折曲するので、外側板部Ｃ２２が起立する（図９参照）。
【００７９】
その後、内側板部Ａ２６と内側板部Ｃ２６が上方を向いた状態で、内側板部Ｂ２６と内側板部Ｄ２６とを内側に回動させて、突状部７５、７６、７７、７８を底板部１０に設けられた穴部１５、１６、１７、１８に係止させる。つまり、突状部７５を穴部１５に係止させ、突状部７６を穴部１６に係止させ、突状部７７を穴部１７に係止させ、突状部７８を穴部１８に係止させる。このように、係合部８１〜８４を係合させるための穴部１５〜１８を利用して、突状部７５〜７８を係止させることができる。これにより、外側板部Ｂ２２の内側に外側板部Ｂ２２に略平行に内側板部Ｂ２６が設けられ、外側板部Ｄ２２の内側に外側板部Ｄ２２に略平行に内側板部Ｄ２６が設けられる。
【００８０】
外側板部Ｂ２２の内側に外側板部Ｂ２２に略平行に内側板部Ｂ２６が設けられた状態では、突片部８１ａと突片部８１ｂとからなる係合部８１が間隙部Ｂ５０から上方に突出し、突片部８２ａと突片部８２ｂとからなる係合部８２が間隙部Ｂ５２から上方に突出し、また、外側板部Ｄ２２の内側に外側板部Ｄ２２に略平行に内側板部Ｄ２６が設けられた状態では、突片部８３ａと突片部８３ｂとからなる係合部８３が間隙部Ｄ５０から上方に突出し、突片部８４ａと突片部８４ｂとからなる係合部８４が間隙部Ｄ５２から上方に突出する。
【００８１】
その後、内側板部Ａ２６と内側板部Ｃ２６とを内側に回動させて、突状部７１、７２、７３、７４を底板部１０に設けられた穴部１１、１２、１３、１４に係止させる。つまり、突状部７１を穴部１１に係止させ、突状部７２を穴部１２に係止させ、突状部７３を穴部１３に係止させ、突状部７４を穴部１４に係止させる。これにより、外側板部Ａ２２の内側に外側板部Ａ２２に略平行に内側板部Ａ２６が設けられ、外側板部Ｃ２２の内側に外側板部Ｃ２２に略平行に内側板部Ｃ２６が設けられる。以上のようにして、箱体５が図１〜図３に示すような組立て状態となる。
【００８２】
組立て状態の箱体５においては、係合部８１、８２が縁板部Ｂ２４の上端から上方に突出し、係合部８３、８４が縁板部Ｄ２４の上端から上方に突出しているので、上側の箱体５の係合部８１、８２、８３、８４と下側の箱体５の穴部１５、１６、１７、１８を係合させることにより、図１０に示すように、上側の箱体５と下側の箱体５を積み重ねて使用することができる。
【００８３】
なお、外側板部Ａ２２と外側板部Ｃ２２において、横方向の長さが底板部１０から離れるに従い短くなる台形形状に形成されているので、係合部８１、８２、８３、８４を穴部１５、１６、１７、１８の真上の位置に位置させることができる。すなわち、外側板部Ｂ２２と内側板部Ｂ２６の間の下側には連結板部Ｂ３２が設けられるため、外側板部Ｂ２２と内側板部Ｂ２６間の間隔は、下方にいくほど広くなり（図３参照）、外側板部Ａ２２、Ｃ２２が台形形状ではなく長方形状の場合には、外側板部Ｂ２２が若干外側に傾斜した構成となってしまい、同様に、外側板部Ｄ２２と内側板部Ｄ２６の間の下側には連結板部Ｄ３２が設けられるため、外側板部Ｄ２２と内側板部Ｄ２６間の間隔は、下方にいくほど広くなり、外側板部Ａ２２、Ｃ２２が台形形状ではなく長方形状の場合には、外側板部Ｄ２２が若干外側に傾斜した構成となってしまうが、外側板部Ａ２２と外側板部Ｃ２２が台形形状となっているので、外側板部Ｂ２２、Ｄ２２が外側に傾斜することがなく、係合部８１、８２、８３、８４を穴部１５、１６、１７、１８の真上の位置に位置させることができ、箱体５を積み上げる際に、下段の箱体５の係合部８１、８２、８３、８４と上段の箱体５の穴部１５、１６、１７、１８の係合に支障がない。
【００８４】
また、箱体５においては、係合部８１、８２、８３、８４が折れ線を介して２つの突片部が連設され、該折れ線を介して二つ折りの構成となっているので、係合部８１〜８４の強度を十分得ることができる。また、係合部８１〜８４は間隙部Ｂ５０〜Ｄ５２から突出していて、係合部８１〜８４の基端部分は外側板部と内側板部によりカバーされた状態となっているので、係合部８１〜８４が容易に倒れることがなく、その点でも強度を十分得ることができ、また、穴部１５〜１８との係合に支障が出ることがない。
【００８５】
また、２つの突片部は折れ線を介して連設されているので、２つの突片部が横方向にずれてしまうことがなく、係合部の穴部への係合に支障が出ることがない。
【００８６】
また、外側板部Ｂ２２と外側板部Ｄ２２を底板部１０に対して起立させることにより、自動的に外側板部Ａ２２と外側板部Ｃ２２が起立するので、組立てが容易である。
【００８７】
なお、上記の説明において、係合部８１〜８４が突出するための間隙部（すなわち、外側板部の上端と内側板部の上端の間における縁板部が形成されていない領域）が設けられているとしたが、縁板部に穴部が形成された構成としてもよい。つまり、この場合には、穴部の外側板部側の辺部と縁板部と外側板部間の折れ線の間に間隔が形成され、穴部の内側板部側の片部と縁板部と内側板部間の折れ線の間に間隔が形成されていて、そのような穴部が形成された縁板部Ｂ２４、Ｄ２４の場合には、上記のように３つの領域に分割されるのではなく、縁板部Ｂ２４、Ｄ２４の一方の端部から他方に端部にまで連続した構成となる。
【００８８】
また、上記の説明において、内側板部Ａ２６は縁板部Ａ２４から連設され、内側板部Ｃ２６は縁板部Ｃ２４から連設されるとしたが、縁板部Ａ２４、Ｃ２４の構成を省略して、内側板部Ａ２６が外側板部Ａ２２の底板部１０側とは反対側の辺部から折れ線を介して連設され、内側板部Ｃ２６が外側板部Ｃ２２の底板部１０側とは反対側の辺部から折れ線を介して連設された構成としてもよい。
【００８９】
なお、上記の説明においては、箱体５は、その展開状態において、図５に示すように左右線対称及び前後線対称に形成されるが、図１１〜図１４の箱体１０５に示すように左右線対称であるが、前後非線対称の構成としてもよい。つまり、正面の側壁部Ａ２０における外側板部Ａ２２の上下方向の長さ（つまり、底板部１０側の辺部と縁板部Ａ２４側の辺部間の長さ）が、背面の側壁部Ｃ２０における外側板部Ｃ２２の上下方向の長さ（つまり、底板部１０側の辺部と内側板部Ｃ２６側の辺部間の長さ）よりも短く形成され、箱体を組み立てた状態では、側壁部Ａ２０の上端の高さが側壁部Ｃ２０の上端の高さよりも低く形成されるので、箱体１０５を積み重ねた状態で、下側の箱体１０５における側壁部Ａ２０よりも上側が正面側に開口し、複数の箱体１０５を積み重ねた状態でも、箱体１０５内に陳列された被陳列物を箱体１０５の正面側から取り出すことができる。つまり、箱体１０５を陳列具として使用することができる。
【００９０】
箱体１０５においても、底板部１０と、側壁部Ａ２０と、側壁部Ｂ２０と、側壁部Ｃ２０と、側壁部Ｄ２０とが設けられ、側壁部Ａ２０は、外側板部Ａ２２と、縁板部Ａ２４と、内側板部Ａ２６により構成され、側壁部Ｂ２０は、外側板部Ｂ２２と、縁板部Ｂ２４と、内側板部Ｂ２６と、折込み片部Ｂ３０、Ｂ４０と、接着板部Ｂ３４、Ｂ４４とにより構成され、側壁部Ｄ２０は、外側板部Ｄ２２と、縁板部Ｄ２４と、内側板部Ｄ２６と、折込み片部Ｄ３０、Ｄ４０と、接着板部Ｄ３４、Ｄ４４が設けられ、折込み片部Ｂ３０は、接着板部Ｂ３１と、連結板部Ｂ３２とを有し、折込み片部Ｂ４０は、接着板部Ｂ４１と、連結板部Ｂ４２とを有し、折込み片部Ｄ３０は、接着板部Ｄ３１と、連結板部Ｄ３２とを有し、折込み片部Ｄ４０は、接着板部Ｄ４１と、連結板部Ｄ４２とを有している。なお、側壁部Ｃ２０は、外側板部Ｃ２２と、内側板部Ｃ２６と、底フラップＣ２７と、横フラップＣ２８、Ｃ２９とから構成される。
【００９１】
なお、箱体１０５においては、箱体５の場合と同様に、接着板部Ｂ３１、Ｂ４１が外側板部Ｂ２２に接着し、接着板部Ｂ３４、Ｂ４４が内側板部Ｂ２６に接着し、接着板部Ｄ３１、Ｄ４１が外側板部Ｄ２２に接着し、接着板部Ｄ３４、Ｄ４４が内側板部Ｄ２６に接着して構成され、図１３に示す状態から外側板部Ｂ２２、Ｄ２２を底板部１０に対して上方に回動させて起立させることにより、自動的に外側板部Ａ２２と外側板部Ｃ２２が起立するので、組立てが容易である。
【００９２】
箱体１０５の組立て工程は、箱体５の場合と同様であるが、側壁部Ｃ２０については、底フラップＣ２７と横フラップＣ２８、Ｃ２９を内側板部Ｃ２６に対して背面側に折曲させ、底フラップＣ２７が底板部１０に接し、横フラップＣ２８が内側板部Ｂ２６に接し、横フラップＣ２９が内側板部Ｄ２６に接するようにし、横フラップＣ２８の辺部Ｃ２８ｃと横フラップＣ２９の辺部Ｃ２９ｃが外側板部Ｃ２２の正面側の面に当接した状態で、内側板部Ｃ２６が固定され、内側板部Ｃ２６は、底板部１０に対して上方にいくほど背面側となるように傾斜した状態となる。
【００９３】
箱体１０５を組み立てた状態では、箱体５の場合と同様に、突状部７５、７６、７７、７８が底板部１０に設けられた穴部１５、１６、１７、１８に係止され、突状部７１、７２が底板部１０に設けられた穴部１１、１２に係止され、突片部８１ａと突片部８１ｂとからなる係合部８１が間隙部Ｂ５０から上方に突出し、突片部８２ａと突片部８２ｂとからなる係合部８２が間隙部Ｂ５２から上方に突出し、また、突片部８３ａと突片部８３ｂとからなる係合部８３が間隙部Ｄ５０から上方に突出し、突片部８４ａと突片部８４ｂとからなる係合部８４が間隙部Ｄ５２から上方に突出する。
【００９４】
よって、箱体１０５を上下に積み重ねて、上側の箱体１０５の係合部８１、８２、８３、８４と下側の箱体１０５の穴部１５、１６、１７、１８を係合させることにより、上側の箱体１０５と下側の箱体１０５を積み重ねて使用することができる。このように、上側の箱体１０５の係合部８１、８２、８３、８４と下側の箱体１０５の穴部１５、１６、１７、１８とが係合することにより、積重ね状態を安定して維持させることができる。
【符号の説明】
【００９５】
５、１０５  箱体
１０  底板部
Ａ２０、Ｂ２０、Ｃ２０、Ｄ２０  側壁部
Ａ２２、Ｂ２２、Ｃ２２、Ｄ２２  外側板部
Ａ２４、Ｂ２４、Ｃ２４、Ｄ２４  縁板部
Ａ２６、Ｂ２６、Ｃ２６、Ｄ２６  内側板部
Ｃ２７  底フラップ
Ｃ２８、Ｃ２９  横フラップ
Ｂ３０、Ｂ４０、Ｄ３０、Ｄ４０  折込み片部
Ｂ３１、Ｂ３４、Ｂ４１、Ｂ４４、Ｄ３１、Ｄ３４、Ｄ４１、Ｄ４４  接着板部
Ｂ３２、Ｂ４２、Ｄ３２、Ｄ４２  連結板部
１１、１２、１３、１４、１５、１６、１７、１８、Ｂ５０、Ｂ５２、Ｄ５０、Ｄ５２  穴部
７１、７２、７３、７４、７５、７６、７７、７８  突状部
８１、８２、８３、８４  係合部
８１ａ、８１ｂ、８２ａ、８２ｂ、８３ａ、８３ｂ、８４ａ、８４ｂ  突片部
【図１】
0003197491.tif 000003
【図２】
0003197491.tif 000004
【図３】
0003197491.tif 000005
【図４】
0003197491.tif 000006
【図５】
0003197491.tif 000007
【図６】
0003197491.tif 000008
【図７】
0003197491.tif 000009
【図８】
0003197491.tif 000010
【図９】
0003197491.tif 000011
【図１０】
0003197491.tif 000012
【図１１】
0003197491.tif 000013
【図１２】
0003197491.tif 000014
【図１３】
0003197491.tif 000015
【図１４】
0003197491.tif 000016